(57)【特許請求の範囲】
【請求項１】
骨組みが複数の伸縮可能なチューブを連結して構成された造形物であって、
前記チューブ自体の伸縮性又は前記チューブ内に充填される充填材料の膨張又は収縮のし易さを異ならせることにより、少なくとも一部の前記チューブについての周辺環境の変化に伴う伸縮度合いが他の前記チューブと異なるように構成されていることを特徴とする造形物。
【請求項２】
骨組みが複数の伸縮可能なチューブを連結して構成された造形物であって、
前記チューブは複数のグループに分かれ、
各チューブの周辺環境の変化に伴うチューブ内の充填材料の膨張又は収縮の度合いはグループ毎に異なると共に、
一のグループの前記チューブ内に充填された前記充填材料が他のグループへ移動しないように前記チューブは少なくともグループ単位で前記充填材料を密封可能に構成されていることを特徴とする造形物。
【請求項３】
前記チューブは、少なくとも二つの端部を有し、各端部には接合管が設けられ、
複数の前記チューブは、前記接合管を介した結合によって骨組みを構成するように連結される請求項１または２に記載の造形物。
【発明の詳細な説明】
【技術分野】
【０００１】
本発明は、例えば、建築物の他、工作物、パビリオンや児童用の遊具等として利用可能であり、骨組みがチューブで構成された造形物に関する。
【背景技術】
【０００２】
特許文献１には、図３（Ａ）及び（Ｂ）に示すように、骨組みが複数のチューブ５１で構成された建物が提案されている。その他、特許文献２，３には、骨組みがホースで構成されたテントが開示されている。
【先行技術文献】
【特許文献】
【０００３】
【特許文献１】特許第３３３３９４６号公報
【特許文献２】特許第５１１６０６２号公報
【特許文献３】特許第５４９７１０３号公報
【発明の概要】
【発明が解決しようとする課題】
【０００４】
これらの造形物は、形状を一定に保つことを基本とし、鉄筋コンクリート構造や木質構造等の一般的な建築物と同様に、周囲の環境変化に応じて全体の外観が大きく変わってしまうほどの変形を積極的に狙った設計はこれまで行われていない。そのため、構造設計の自由度が低く、結果として、完成した造形物の形態は固定的で画一的なものとなる。
【０００５】
本発明は上述の事柄に留意してなされたもので、その目的は、周囲の環境変化に応じて形態が変化し、構造設計の自由度を上げることができる造形物を提供することにある。
【課題を解決するための手段】
【０００６】
上記目的を達成するために、本発明に係る造形物は、骨組みが複数の伸縮可能なチューブを連結して構成された造形物であって、前記チューブ自体の伸縮性又は前記チューブ内に充填される充填材料の膨張又は収縮のし易さを異ならせることにより、少なくとも一部の前記チューブについての周辺環境の変化に伴う伸縮度合いが他の前記チューブと異なるように構成されている（請求項１）。
【０００７】
また、本発明に係る造形物が、骨組みが複数の伸縮可能なチューブを連結して構成された造形物であって、前記チューブは複数のグループに分かれ、各チューブの周辺環境の変化に伴うチューブ内の充填材料の膨張又は収縮の度合いはグループ毎に異なると共に、一のグループの前記チューブ内に充填された前記充填材料が他のグループへ移動しないように前記チューブは少なくともグループ単位で前記充填材料を密封可能に構成されていてもよい（請求項２）。
【０００８】
上記造形物において、前記チューブは、少なくとも二つの端部を有し、各端部には接合管が設けられ、複数の前記チューブは、前記接合管を介した結合によって骨組みを構成するように連結されていてもよい（請求項３）。
【発明の効果】
【０００９】
本願発明では、周囲の環境変化に応じて形態が変化し、構造設計の自由度を上げることができる造形物を得ることができる。
【００１０】
すなわち、本願の各請求項に係る発明の造形物では、その周囲の温度（気温）や日射量等が変化すると、チューブ自体やチューブ内の充填材料の温度等が変化し、この変化に伴ってチューブの形状が変化したり充填材料の体積が変化したりする。そして、その変化のし易さは一様とはならないようにしているので、結果として、造形物の形状が大きく変化することになる。
【００１１】
すなわち、従来の造形物は、形状が一定であることを基本とし、専ら位置座標（ＸＹＺ座標）を設計パラメーターに用い、環境変化のような時間軸（ｔ）をパラメーターとしていない。これに対して、本発明の造形物は、時間軸（ｔ）をもパラメーターとして導入した設計を行うのであって、構造設計の自由度が上がり、造形物を構築する空間を、時々刻々と変化する周辺環境に呼応した生命体のようなものにすることができる。
【００１２】
請求項３に係る発明の造形物では、チューブのユニット化によってチューブの接続作業効率の向上を図ることができる。
【図面の簡単な説明】
【００１３】
【図１】（Ａ）は、本発明の一実施の形態に係る造形物の構成を概略的に示す斜視図、（Ｂ）は前記造形物を内側からみたイメージ図である。
【図２】（Ａ）は、前記造形物の骨組みを構成するチューブを概略的に示す斜視図、（Ｂ）は複数のチューブが繋がった状態を示す説明図である。
【図３】（Ａ）及び（Ｂ）は、従来の造形物の構成を概略的に示す正面図及び平面図である。
【発明を実施するための形態】
【００１４】
本発明の実施の形態について図面を参照しながら以下に説明する。
【００１５】
図１（Ａ）及び（Ｂ）に示す造形物１は、トンネル状に形成され全体にわたって網目構造を有する建築物であり、図２（Ａ）及び（Ｂ）に示すように、伸縮可能なチューブ２を複数連結することにより、その骨組みが構成されている。
【００１６】
そして、造形物１は、その周囲環境（例えば気温（温度）や日射量等）の変化に応じて大きく変形するように、チューブ２内に充填される充填材料の膨張及び／又は収縮のし易さを異ならせ、少なくとも一部のチューブ２についての周辺環境の変化に伴う伸縮度合いが他のチューブ２と異なるようにしてある。
【００１７】
まず、チューブ２について説明すると、各チューブ２は、図２（Ａ）及び（Ｂ）に示すように、二股状で三つの端部を有し、各端部には接合管（継手）３が設けられ、複数のチューブ２は、接合管３を介した結合によって骨組みを構成するように連結される。
【００１８】
ここで、図２（Ａ）には、接合管３どうしが直接連結可能に構成される例（換言すれば各チューブ２を相互連結可能なユニットにした例）を示してあるが、これに限らず、別途の継手部材を介して二つ以上の接合管３が連結されるように構成されていてもよい。いずれの場合でも、その連結を行うための構造には、公知の管継手、結合金具等の構成を採用可能であり、例えば、ねじ込み式（例えば雄ねじが形成された接合管３と雌ねじが形成された接合管３とをねじ込む方式）、ユニオン式（例えば一方の接合管３にユニオンねじ、他方の接合管３にユニオンつばを形成し、両者にまたがってユニオンナットをはめて両接合管３を接続するねじ込み式ユニオンや、差込み溶接式ユニオンに見られる方式）、フランジ式（例えば両方の接合管３に管フランジを設け、突き合わせた状態の両方の管フランジをボルト及びナットで締結したりクイックファスナーで挟み込んだりする方式）、種々の溶接式等の接合方式を取り入れればよい。なお、図１（Ａ）及び（Ｂ）では、接合管３の図示は省略してある。
【００１９】
また、チューブ２の素材には、伸縮性を有し、チューブ２内に充填する液体や気体が透過しない材料が適しており、そのような材料としては、例えばゴムや軟質プラスチック等の弾性を有する材料を挙げることができる。その他、内面に液体や気体の密封処理を施した不織布や織布、フィルム等の膜素材でチューブ２を構成することも考えられる。
【００２０】
一方、チューブ２に充填する充填材料としては、常温で液体（例えば、水）となるものや気体（例えば、空気、アルゴンガス、窒素ガス、ヘリウムガス等）となるもの等を挙げることができる。なお、チューブ２内への充填材料の導入やその導出は、接合管３から行ってもよいし、チューブ２自体に開閉可能な導入口を設けてその導入口を利用して行ってもよい。
【００２１】
そして、チューブ２内に充填される充填材料の膨張及び／又は収縮のし易さを異ならせるためには、例えば、チューブ２に充填する液体及び／又は気体の種類（熱膨張率）や濃度を異ならせたり、チューブ２に充填する液体と気体との配分（比率）を異ならせたりすればよい。
【００２２】
本例の造形物１では、チューブ２は複数のグループに分かれ、各チューブ２の周辺環境の変化に伴うチューブ２内の充填材料の膨張及び／又は収縮の度合いはグループ毎に異なるように、チューブ２内に充填される充填材料はグループ毎に異なっていて、一のグループのチューブ２内に充填された充填材料が他のグループへ移動しないようにチューブ２は少なくともグループ単位で充填材料を密封可能に構成されている。
【００２３】
図２（Ｂ）には、チューブ２が、第１グループを構成するチューブ２Ａ群と、第２グループを構成するチューブ２Ｂ群と、第３グループを構成するチューブ２Ｃ群とに分かれている例を示している。なお、グループ数は、二つでも四つ以上でもよい。また、グループを構成するチューブ２は単数でも複数でもよく、グループを構成するチューブ２の数はグループ間で同一でも異なっていてもよい。
【００２４】
ここで、チューブ２の充填材料をグループ毎に異ならせ、グループ単位で充填材料を密封する手段としては、例えば、接合管３に弁機構（開閉弁や逆止弁）や栓部材を設け、充填材料が接合管３内を通過することを適宜規制又は防止したり、弁機構や栓部材としての機能を持つ別途の継手部材（アダプター）を介して接合管３どうしを連結するようにしたりすればよい。また、他の接合管３に連結されない接合管３には、例えば栓部材を装着して密封すればよい。
【００２５】
上記のように構成された造形物１では、造形物１の周囲の温度（気温）や日射量等が変化すると、チューブ２内の充填材料の温度が変化し、この変化に伴ってチューブ２の内部圧力（充填材料の体積）が変化する。そして、チューブ２の内部圧力の変化のし易さはグループ毎に異なり、環境変化に応じたチューブ２の伸縮度合い（膨張及び／又は収縮度合い）は一様とはならないので、結果として、造形物１の形状が大きく変化することになる。
【００２６】
すなわち、従来の造形物は、形状が一定であることを基本とし、専ら位置座標（ＸＹＺ座標）を設計パラメーターに用い、環境変化のような時間軸（ｔ）をパラメーターとしていない。これに対して、本例の造形物１は、時間軸（ｔ）をもパラメーターとして導入した設計を行うのであって、構造設計の自由度が上がり、造形物１を構築する空間を、時々刻々と変化する周辺環境に呼応した生命体のようなものにすることができる。
【００２７】
なお、本発明は、上記の実施の形態に何ら限定されず、本発明の要旨を逸脱しない範囲において種々に変形して実施し得ることは勿論である。
【００２８】
例えば、図２（Ａ）及び（Ｂ）には、各チューブ２が二股状で三つの端部を有する例（各チューブが同一形状を有するようにユニット化した例）を示したが、これに限らず、チューブ２が他の形状に統一されていてもよいし、形状が統一されていなくてもよい。チューブ２の形状が統一されていない場合には、チューブ２は少なくとも二つの端部を有していればよく、特に、造形物１が少なくとも三つの端部を有するチューブ２を一つ以上含み、その数が多いほど、造形物１の形態を種々のものにすることが容易となるので、好適である。
【００２９】
図２（Ａ）には、一本のチューブ２内に一種類の充填材料のみを充填する例を示しているが、これに限らず、例えば一本のチューブ２内を複数の室に区画し、各室に異なる充填材料を充填するようにしてもよい。
【００３０】
図２（Ａ）及び（Ｂ）には、チューブ２内に充填される充填材料の膨張及び／又は収縮のし易さを異ならせてある例を示したが、これに限らず、チューブ２自体の膨張及び／又は収縮のし易さを異ならせ、少なくとも一部のチューブ２についての周辺環境の変化に伴う伸縮度合いが他のチューブ２と異なるようにしてあってもよい。
【００３１】
チューブ２自体の膨張及び／又は収縮のし易さを異ならせるための手段としては、具体的には、チューブ２の径、肉厚、長さ、体積、形状を異ならせる、チューブ２の厚みを周方向に偏らせる、チューブ２に異方性材料を用いる、チューブ２の素材密度に異なるばらつきをもたせる、といった例を挙げることができる。また、チューブ２周囲の湿度が高まると水分を吸収して膨張するような素材を一部のチューブ２の外壁部分に設けてあってもよい。さらに、チューブ２の外面の光の反射率や吸収率を異ならせて、チューブ２内の充填材料の温度変化に差異をつけるようにしてもよい。加えて、一部のチューブ２を意図的にねじったり引き延ばしたり折り曲げたり絡み合わせたりした状態で配置してもよい。
【００３２】
ここで、チューブ２の径を統一しない場合には異なる径のチューブ２どうしを連結する必要がある。そして、径の異なるチューブ２どうしを連結するには、例えば、径違い管継手（例えば異径ソケット）を用いて連結したり、各接合管３に管フランジを設け、径の異なる管フランジを異径クイックファスナーで挟み込んで連結したり、チューブ２の径の違いを接合管３で吸収することができるように各接合管３を構成したりすればよい。
【００３３】
チューブ２で構成する構造体の面内剛性を高める必要がある場合には、チューブ２の変形に追従する膜等の面材でチューブ２を拘束してもよい。この場合、チューブ２が膜に拘束されて全く変形しなくなるわけではなく、チューブ２が変形したときの復帰力が膜によって増大し、その結果、面内剛性が上昇することになる。もちろん、膜の一部または全部を、チューブ２の変形に追従しない板状部材によって構成してもよい。なお、面材は、例えばチューブ２に接着や縫合等によって接合してあってもよいし、ロープ等でチューブ２に繋いであってもよく、チューブ２に一体成形してあってもよい。
【００３４】
また、全てのチューブ２が伸縮性を有していてもよいが、一部のチューブ２のみが伸縮性を有するように構成してもよい。
【００３５】
図１（Ａ）には、トンネル状に形成された造形物１を示しているが、これに限らず、造形物１には種々の形状をとらせることができ、例えば造形物１がチューブ２や上記面材で構成された床面を有していてもよい。
【００３６】
なお、本明細書で挙げた変形例どうしを適宜組み合わせてもよいことはいうまでもない。
【符号の説明】
【００３７】
１    造形物
２    チューブ
２Ａ  チューブ
２Ｂ  チューブ
２Ｃ  チューブ
３    接合管
５１    チューブ
【図１】
0006346029.tif 000002
【図２】
0006346029.tif 000003
【図３】
0006346029.tif 000004